(57)【要約】【課題】過去の統計データに基づくスケジューリングを効率良くユーザに行わせるのに適している情報機器を実現する。【解決手段】スマートフォン（２００）は、スケジュールを入力するためのＵＩ画面を表示するＵＩ表示処理部（２２３）と、上記ＵＩ画面を通じて、上記スケジュールの入力を受け付ける第２入力受付処理部（２２４）と、を備える。ＵＩ表示処理部（２２３）が表示する上記ＵＩ画面には、未来のある時期に対応する欄に該ある時期と相関がある過去の時期を対象とした統計データが示されている。【選択図】図２
2016170544.tif 000002
【特許請求の範囲】
【請求項１】
スケジュールを入力するためのユーザインタフェース画面を表示する表示処理部と、
上記ユーザインタフェース画面を通じて、上記スケジュールの入力を受け付ける入力受付処理部と、を備え、
上記表示処理部が表示する上記ユーザインタフェース画面は、未来のある時期に対応する欄に該ある時期と相関がある過去の時期を対象とした統計データが示されているようなユーザインタフェース画面である、ことを特徴とする情報機器。
【請求項２】
上記ユーザインタフェース画面は、閲覧者を認識する機能を備えた電子掲示板における広告表示のスケジュールを入力するためのユーザインタフェース画面であり、
上記電子掲示板は、上記過去の時期を対象した統計データとして、上記過去の時期に認識した閲覧者に関する統計データを生成する電子掲示板であり、
上記情報機器は、上記電子掲示板によって生成された統計データを上記情報機器の外部から取得する取得処理部を更に備えている、ことを特徴とする請求項１に記載の情報機器。
【請求項３】
上記ユーザインタフェース画面は、各日について時間帯毎に上記欄が設けられた日めくりカレンダー型のユーザインタフェース画面であり、
上記未来のある時期は未来のある日のある時間帯であり、
上記表示処理部が表示する上記ユーザインタフェース画面は、上記ある時間帯に対応する欄に、過去の任意の日における上記ある時間帯と同じ時間帯を対象とした統計データ、上記未来のある日から丁度整数週前にあたる過去の日における、上記ある時間帯と同じ時間帯を対象とした統計データ、又は、上記未来のある日から丁度整数か月前にあたる過去の日における、上記ある時間帯と同じ時間帯を対象とした統計データが示されているようなユーザインタフェース画面である、ことを特徴とする請求項１または２に記載の情報機器。
【請求項４】
上記ユーザインタフェース画面は、各週の各曜日について時間帯毎に上記欄が設けられた週めくりカレンダー型のユーザインタフェース画面であり、
上記未来のある時期は未来のある週のある曜日の日のある時間帯であり、
上記表示処理部が表示する上記ユーザインタフェース画面は、上記ある時間帯に対応する欄に、上記ある曜日の日から丁度整数週前にあたる過去の日における、上記ある時間帯と同じ時間帯を対象とした統計データ、又は、上記ある曜日の日から丁度整数か月前にあたる過去の日における、上記ある時間帯と同じ時間帯を対象とした統計データが示されているようなユーザインタフェース画面である、ことを特徴とする請求項１または２に記載の情報機器。
【請求項５】
上記ユーザインタフェース画面は、各月の各日について上記欄が設けられた月めくりカレンダー型のユーザインタフェース画面であり、
上記未来のある時期は未来のある日であり、
上記表示処理部が表示する上記ユーザインタフェース画面は、上記未来のある日に対応する欄に、上記未来のある日から丁度整数か月前にあたる過去の日を対象とした統計データが示されているようなユーザインタフェース画面である、ことを特徴とする請求項１または２に記載の情報機器。
【請求項６】
上記表示処理部が表示する上記ユーザインタフェース画面は、繰り返し開催されるイベントに関する情報を含んだユーザインタフェース画面であり、
上記表示処理部が表示する上記ユーザインタフェース画面は、上記イベントが開催される予定である未来のある時期に対応する欄に、上記イベントの過去の開催時期を対象とした統計データが示されているようなユーザインタフェース画面である、ことを特徴とする請求項１または２に記載の情報機器。
【請求項７】
ユーザによる上記過去の時期を指定する操作を受け付ける操作受付部を更に備えている、ことを特徴とする請求項１から６のいずれか１項に記載の情報機器。
【請求項８】
上記表示処理部が表示する上記ユーザインタフェース画面は、上記過去の時期をユーザに視認させるための情報を含んでいる、ことを特徴とする請求項１〜７のいずれか１項に記載の情報機器。
【請求項９】
請求項２に記載の情報機器と上記電子掲示板とを含んでいる電子掲示板システム。
【請求項１０】
情報機器によるユーザインタフェース画面の表示方法において、
スケジュールを入力するためのユーザインタフェース画面を表示する表示処理ステップと、
上記ユーザインタフェース画面を通じて、上記スケジュールの入力を受け付ける入力受付処理ステップと、を含み、
上記表示処理ステップにて表示する上記ユーザインタフェース画面は、未来のある時期に対応する欄に該ある時期と相関がある過去の時期を対象とした統計データが示されているようなユーザインタフェース画面である、ことを特徴とする表示方法。
【請求項１１】
請求項１に記載の情報機器としてコンピュータを機能させるためのプログラムであって、上記表示処理部、および、上記入力受付処理部としてコンピュータを機能させるためのプログラム。
【請求項１２】
請求項１１に記載のプログラムが記録されているコンピュータ読み取り可能な記録媒体。
【発明の詳細な説明】
【技術分野】
【０００１】
本発明は、主に、スケジュールを入力するためのユーザインタフェース画面を表示する機能を備えた情報機器、および、そのような情報機器によるユーザインタフェース画面の表示方法に関する。
【背景技術】
【０００２】
従来から、カレンダー型のユーザインタフェース（以下「ＵＩ」とも称する）について様々な提案がなされている。
【０００３】
例えば、特許文献１には、経路案内装置に経路案内の履歴データに基づく経路探索をさせるためのＵＩであって、経路案内の履歴データが登録されている旨を示すシンボル画像がその経路案内が行われた日の欄に表示されているＵＩが開示されている。また、例えば、特許文献２には、入力欄に入力された業務スケジュールをその欄内に表示するためのスケジュール入力表示画面が開示されている。
【０００４】
また、昨今では、様々なデジタルサイネージシステムが公共の場所に設置されており、デジタルサイネージシステムの中には、カレンダー型のＵＩを通じて広告表示のスケジュールを設定する機能を備えたものも存在する。
【先行技術文献】
【特許文献】
【０００５】
【特許文献１】特開２０１３−０５０４６５号公報（２０１３年３月１４日公開）
【特許文献２】特許第３６８２０４３号明細書（２００２年１月１０日公開）
【発明の概要】
【発明が解決しようとする課題】
【０００６】
ところで、デジタルサイネージシステムを用いて効果的な広告表示を実現するためには、そのデジタルサイネージシステムが表示した広告の閲覧者に関する過去の統計データに基づいて、広告表示のスケジュールを決定することが望ましい。
【０００７】
具体的には、過去のある時期（例えば、直前の日曜日）に広告を閲覧した人の数（好ましくは、年代毎の人数および／または性別毎の人数）に基づいて、その時期と相関のある未来の時期（例えば、次の日曜日）に表示すべき広告を決定することが望ましい。
【０００８】
しかしながら、上記の広告表示のスケジュールを設定するＵＩを用いて上記の効果的な広告表示を実現するためには、該ＵＩとは異なる手段を用いて過去の統計データを把握する作業が必要となる。そのため、ユーザは、過去の統計データに基づく効果的な広告表示のためのスケジューリングを、効率良く行うことができなかった。
【０００９】
そして、このような課題は上記特許文献１、２に開示された技術を用いても解決することができない。
【００１０】
本発明は、上記課題に鑑みて成されたものであり、その主な目的は、過去の統計データに基づくスケジューリングを効率良くユーザに行わせるのに適している情報機器を実現することにある。
【課題を解決するための手段】
【００１１】
本発明の一態様に係る情報機器は、スケジュールを入力するためのユーザインタフェース画面を表示する表示処理部と、上記ユーザインタフェース画面を通じて、上記スケジュールの入力を受け付ける入力受付処理部と、を備え、上記表示処理部が表示する上記ユーザインタフェース画面は、未来のある時期に対応する欄に該ある時期と相関がある過去の時期を対象とした統計データが示されているようなユーザインタフェース画面である。
【００１２】
本発明の一態様に係る表示方法は、情報機器によるユーザインタフェース画面の表示方法において、スケジュールを入力するためのユーザインタフェース画面を表示する表示処理ステップと、上記ユーザインタフェース画面を通じて、上記スケジュールの入力を受け付ける入力受付処理ステップと、を含み、上記表示処理ステップにて表示する上記ユーザインタフェース画面は、未来のある時期に対応する欄に該ある時期と相関がある過去の時期を対象とした統計データが示されているようなユーザインタフェース画面である。
【発明の効果】
【００１３】
本発明の一態様に係る情報機器および表示方法は、過去の統計データに基づくスケジューリングを効率良くユーザに行わせるのに適している。
【図面の簡単な説明】
【００１４】
【図１】本発明の実施形態１〜３に係る電子掲示板システムの利用イメージ図である。
【図２】実施形態１〜３に係る電子掲示板システムに含まれるスマートフォンおよび電子掲示板の各構成を示すブロック図である。
【図３】実施形態１に係るスマートフォンが表示するカレンダー型のＵＩ画面の一例を示した画面図である。
【図４】実施形態１、２に係るスマートフォンの動作を示すフローチャートである。
【図５】実施形態１に係るスマートフォンが表示する特徴的なカレンダー型のＵＩ画面の一例を示した画面図である。
【図６】実施形態１に係るスマートフォンが表示する特徴的なカレンダー型のＵＩ画面の別の例を示した画面図である。
【図７】実施形態１に係るスマートフォンに対する、カレンダーの表示対象頁を切り替えるための操作の説明図である。
【図８】実施形態１に係るスマートフォンが表示する特徴的なカレンダー型のＵＩ画面の更に別の一例を示した画面図である。
【図９】実施形態１の２つの変形例の各々について、変形例に係るスマートフォンが表示する特徴的なカレンダー型のＵＩ画面を例示した画面図である。
【図１０】実施形態１の更に別の変形例に係るスマートフォンが表示する特徴的なカレンダー型のＵＩ画面を例示した画面図である。
【図１１】実施形態２に係るスマートフォンが表示するカレンダー型のＵＩ画面の一例を示した画面図である。
【図１２】実施形態２に係るスマートフォンが表示する特徴的なカレンダー型のＵＩ画面を例示した画面図である。
【図１３】実施形態２に係るスマートフォンに対する、カレンダーの表示対象頁を切り替えるための操作の説明図である。
【図１４】実施形態２の変形例に係るスマートフォンが表示する特徴的なカレンダー型のＵＩ画面の一例を示した画面図である。
【図１５】実施形態２の別の変形例に係るスマートフォンが表示する特徴的なカレンダー型のＵＩ画面の一例を示した画面図である。
【図１６】実施形態３に係るスマートフォンが表示するカレンダー型のＵＩ画面の一例を示した画面図である。
【図１７】実施形態３に係るスマートフォンが表示する特徴的なカレンダー型のＵＩ画面の例示した画面図であり、実施形態３に係るスマートフォンに対する、カレンダーの表示対象頁を切り替えるための操作の説明図でもある。
【図１８】実施形態３の変形例に係るスマートフォンが表示する特徴的なカレンダー型のＵＩ画面の一例を示した画面図である。
【図１９】実施形態３の別の変形例に係るスマートフォンが表示する特徴的なカレンダー型のＵＩ画面の一例を示した画面図である。
【図２０】本発明の実施形態４に係る電子掲示板システムのシステム構成図である。
【図２１】実施形態４に係る電子掲示板システムに含まれるスマートフォンおよび電子掲示板の各構成を示すブロック図である。
【図２２】実施形態４に係る電子掲示板システムに含まれるサーバの構成を示すブロック図である。
【図２３】実施形態４に係るスマートフォンが表示する掲示板管理画面を例示した画面図である。
【発明を実施するための形態】
【００１５】
＜実施形態１＞
以下、図１〜図１０を参照して、本発明の実施形態１に係る電子掲示板システムについて説明する。
【００１６】
（電子掲示板システムの概要および構成）
まず、本実施形態に係る電子掲示板システムの概要および構成について図１を参照しながら説明する。
【００１７】
図１は、本実施形態に係る電子掲示板システムの利用イメージ図である。
【００１８】
図１に示すように、本実施形態に係る電子掲示板システムは、居酒屋において運用される電子掲示板システムであり、電子掲示板１００およびスマートフォン２００を含んでいる。
【００１９】
電子掲示板１００は、顧客の目に触れやすい場所に設置されている。電子掲示板１００にインストールされている広告表示アプリケーションは、決められたスケジュールに従って広告を表示する。また、電子掲示板１００は、広告の閲覧者を認識する機能を備えている。
【００２０】
スマートフォン２００は、掲示板管理アプリケーションがインストールされている携帯端末である。掲示板管理アプリケーションは、店員が電子掲示板１００の広告表示のスケジュールを管理するために使用するアプリケーションである。また、掲示板管理アプリケーションは、電子掲示板１００との間の近距離通信が可能な状態で使用するアプケーションである。
【００２１】
この掲示板管理アプリケーションが表示するカレンダー型のＵＩ画面に大きな特徴があるので、後に、このＵＩ画面について詳細に説明する。
【００２２】
なお、本実施形態においては電子掲示板システムが運用される場所を居酒屋としているが、本発明において、電子掲示板システムの運用場所には特段の制限はない。
【００２３】
次に、電子掲示板１００およびスマートフォン２００の構成について図２を参照しながら説明する。
【００２４】
図２は、スマートフォン２００および電子掲示板１００の各構成を示すブロック図である。
【００２５】
（電子掲示板１００の構成）
図２の（ｂ）に示すように、電子掲示板１００は、通信モジュール部１１０、制御部１２０、記録媒体１３０、表示部１４０、及び、カメラ１５０を備えている。
【００２６】
通信モジュール部１１０は、近距離無線通信（Bluetooth（登録商標）通信）用の通信モジュールである。
【００２７】
制御部１２０はＣＰＵである。
【００２８】
記録媒体１３０には、毎日毎正時に生成される統計データ（電子掲示板１００によって表示された広告を直近の１時間の間に閲覧した人の数を示す統計データ）が記録される。また、記録媒体１３０には、広告表示のスケジュールを示す広告表示スケジュール情報が記録されている。また、記録媒体１３０には、広告表示アプリケーションがインストールされている。
【００２９】
表示部１４０は、広告が表示されるディスプレイである。
【００３０】
カメラ１５０は、表示部１４０に表示されている広告を閲覧している者の顔画像を取り込むことができる位置に配置されている。
【００３１】
制御部１２０は、広告表示アプリケーションを実行することにより、広告表示スケジュール情報更新処理部１２１、広告表示処理部１２２、統計データ生成処理部１２３、及び、統計データ送信処理部１２４として機能する。
【００３２】
広告表示スケジュール情報更新処理部１２１は、スマートフォン２００からのスケジュール更新指示に基づいて、広告表示スケジュール情報を更新する。
【００３３】
広告表示処理部１２２は、広告表示スケジュール情報が示すスケジュールに従って、広告を表示部１４０に表示する。
【００３４】
統計データ生成処理部１２３は、公知の顔認識アルゴリズムを用いてカメラ１５０が取り込んだ顔画像から広告の閲覧者の属性（例えば、性別及び／又は年代）を特定する度に、特定した属性を示す属性情報をログに追加する。
【００３５】
統計データ生成処理部１２３は、毎日正時になる度に次の処理を行う。
【００３６】
即ち、統計データ生成処理部１２３は、正時から１時間の間、正時以降に属性情報が追加された回数を示すカウント値の更新処理を行う。統計データ生成処理部１２３は、正時から１時間後になると、その時のカウント値を示すデータ（即ち、直近の１時間の間に広告を閲覧した人の数を示す統計データ）を生成することになる。
【００３７】
統計データ送信処理部１２４は、スマートフォン２００から統計データまたはカウント値の要求を受けると、要求に従って統計データまたはカウント値をスマートフォン２００に送信する。
【００３８】
（スマートフォン２００の構成）
図２の（ａ）に示すように、スマートフォン２００（情報機器）は、通信モジュール部２１０、制御部２２０、記録媒体２３０、及び、タッチパネル式表示部２４０を備えている。
【００３９】
通信モジュール部２１０は、近距離無線通信（Bluetooth通信）用の通信モジュールである。
【００４０】
制御部２２０はＣＰＵである。
【００４１】
記録媒体２３０には、電子掲示板１００から受信した統計データ、および広告画像が記録されている。また、記録媒体２３０には、掲示板管理アプリケーションがインストールされている。
【００４２】
タッチパネル式表示部２４０は、静電容量式のタッチパネル式ディスプレイである。
【００４３】
制御部２２０は、掲示板管理アプリケーションを実行することで、統計データ取得処理部２２１（取得処理部）、第１入力受付処理部２２２（操作受付部）、ＵＩ表示処理部２２３（表示処理部）、及び第２入力受付処理部２２４（入力受付処理部）として機能する。
【００４４】
統計データ取得処理部２２１は、電子掲示板１００から前回取得した時点以降に電子掲示板１００が生成した統計データおよび更新処理中のカウント値をスマートフォン２００に送信するように、定期的に電子掲示板１００に要求する。
【００４５】
第１入力受付処理部２２２は、掲示板管理アプリケーションのＵＩ画面を通じて、全般的な入力操作を受け付ける。
【００４６】
ＵＩ表示処理部２２３は、掲示板管理アプリケーションの様々なＵＩ画面（日めくりカレンダー型のＵＩ画面）を表示する。
【００４７】
とりわけ、ＵＩ表示処理部２２３は、現在時刻が属する日よりも未来の日（期間）に対応する頁のＵＩ画面として、次のような特徴的なＵＩ画面を表示する機能を備えている。即ち、ＵＩ表示処理部２２３は、その期間に含まれる各時間帯（各時期）に対応する欄に、対象の時間帯と相関がある過去の時期を対象とした統計データが示されているようなＵＩ画面を表示する機能を備えている。
【００４８】
第２入力受付処理部２２４は、掲示板管理アプリケーションのＵＩ画面を通じて、広告表示スケジュールの入力操作（広告画像を選択するとともに、その広告画像を電子掲示板１００に表示させる時期を指定する操作）を受け付ける。
【００４９】
第２入力受付処理部２２４は、広告表示スケジュールの入力操作を受け付けると、広告画像とその広告画像が表示されるべき時期を示す情報とを含むスケジュール更新指示を電子掲示板１００に送信する。
【００５０】
以上、電子掲示板１００およびスマートフォン２００の構成について説明した。
【００５１】
次に、スマートフォン２００（具体的には、掲示板管理アプリケーション）の動作について、図３〜図７を参照しながら説明する。
【００５２】
図３は、スマートフォン２００が掲示板管理アプリケーションを実行することにより表示するカレンダー型のＵＩ画面の一例を示した画面図である。図４は、掲示板管理アプリケーションを実行中のスマートフォン２００の動作を示すフローチャートである。
【００５３】
図５および図６は、スマートフォン２００が掲示板管理アプリケーションを実行することにより表示する特徴的なカレンダー型のＵＩ画面を例示した画面図である。図７は、掲示板管理アプリケーションを実行中のスマートフォン２００に対する、カレンダーの表示対象頁を切り替えるための操作の説明図である。
【００５４】
（スマートフォン２００の動作）
スマートフォン２００は、図４のフローチャートに従った動作を行う。以下では、スマートフォン２００がこの動作を行う時刻（現在時刻）が２０１４年１２月３１日の１３：００である例を挙げながら、スマートフォン２００の動作について詳細に説明する。
【００５５】
なお、スマートフォン２００は、以下に説明する動作の開始前に、図３に例示されるような「統計データが示されていないＵＩ画面」を表示しているものとする。
【００５６】
タッチパネル式表示部２４０の「ログ表示切り替え」ボタンが表示されている部分がタップされると、第１入力受付処理部２２２は、ステップＳ１を実行する。即ち、第１入力受付処理部２２２は、タップ操作をトリガとして、ステップＳ１において、現在時刻が表示対象頁に対応する期間である表示対象期間（本実施形態では表示対象日）の始期よりも過去か否かを判定する。
【００５７】
スマートフォン２００は、現在時刻が表示対象期間の始期よりも過去であると判定した場合にはステップＳ２に進み、現在時刻が表示対象期間の始期よりも過去でないと判定した場合にはステップＳ４に進む。
【００５８】
例えば、ステップＳ１の開始前に、図３のＵＩ画面（即ち、表示対象頁が現在時刻が属する日よりも未来の日である２０１５年１月３１日の頁となっているＵＩ画面）が表示されている場合、スマートフォン２００は、ステップＳ２に進む。
【００５９】
ステップＳ２において、第１入力受付処理部２２２は、表示対象期間に含まれる、現在時刻よりも未来の各時期（本実施形態では、正時からその次の正時までの１時間の時間帯の各々）について、対象時期（本実施形態では対象時間帯）と相関のある過去の時期を対象とした統計データを読み出し、読み出した統計データをＵＩ表示処理部２２３に渡す。
【００６０】
ここで、ステップＳ１の直後のステップＳ２における上記過去の時期は、現在時刻が属する日を含む直近の１週間の各曜日における、対象時間帯と同じ時間帯である。
【００６１】
ステップＳ２の後、ＵＩ表示処理部２２３は、上記未来の各時期について、第１入力受付処理部２２２から渡された「対象時期と相関のある過去の時期を対象とした統計データ」を、対象時期のスケジュールを入力するための欄に表示する（ステップＳ３）。
【００６２】
即ち、ＵＩ表示処理部２２３は、直後の２ステップがステップＳ１およびステップＳ２である場合、例えば、図３のＵＩ画面を図５のＵＩ画面に更新する。
【００６３】
ここで、図５のＵＩ画面の下部に示されている、"12/25木"から"12/31水"までの７日間の日付は、現在時刻が属する日を含む直近の１週間の日付を示している。
【００６４】
また、図５のＵＩ画面において"12/25木"の列と"12"の行とが交差する領域（表示対象日である２０１５年１月３１日の特定の時間帯（１２時台）のスケジュールを入力する欄内の領域）に示されている“10”の表記は、次のことを示している。
【００６５】
即ち、この表記は、電子掲示板１００が表示した広告を１２月２５日の１２時台（即ち、２０１５年１月３１日の１２時台の時間帯と相関のある過去の時期）に閲覧した人の数（該過去の時期を対象とした統計データ）を示している。
【００６６】
ユーザは、"12/25木"の表記と"12"の表記と「ログ表示切替え」ボタンの右隣りの「2014年」の表記との組み合わせ（上記過去の時期を視認させるための情報）から、上記過去の時期が２０１４年１２月２５日の１２時台であることを視認できる。
【００６７】
また、図５のＵＩ画面において、現在時刻が属する日付である"12/31水"の列と現在時刻が属する時間帯である１時台に対応する"１"の行とが交差する領域には、統計データ取得処理部２２１が直近で取得したカウント値（図５の例では"10"）が表示される。
【００６８】
ステップＳ３の後、第１入力受付処理部２２２は、上記過去の時期を指定する操作（具体的には、「ログ表示切り替え」ボタンをタップする操作、又は、「ログ表示切り替え」ボタンの右隣の「左矢印」ボタンもしくは「右矢印」ボタンをタップする操作）を受け付けたか否かを判定する（ステップＳ４）。
【００６９】
ここで、図４のフローチャートに従った動作の説明を中断し、「左矢印」ボタンおよび「右矢印」ボタンについて説明するとともに、「ログ表示切り替え」ボタンについてより具体的に説明する。
【００７０】
「左矢印」ボタンは、ユーザが、ＵＩ画面の各欄に表示されている統計データを、その欄に対応する時期と相関があるような「より遠い過去の統計データ」に切り替えたい場合に使用するボタンである。同様に、「右矢印」ボタンは、ユーザが、ＵＩ画面の各欄に表示されている統計データを、その欄に対応する時期と相関があるような「より近い過去の統計データ」に切り替えたい場合に使用するボタンである。
【００７１】
また、「ログ表示切り替え」ボタンは、ユーザが、ＵＩ画面に表示されている統計データを、「過去の特定の１週間の統計データ」から「直近の７週間の期間における特定の曜日の統計データ」に切り替えるために使用するボタンである。ここで、特定の曜日とは、カレンダーの表示対象日が該当する曜日と同じ曜日のことである。
【００７２】
また、「ログ表示切り替え」ボタンは、ユーザが、ＵＩ画面に表示されている統計データを、「特定の７週間の期間における特定の曜日の統計データ」から「直近の７か月の期間における各月の特定の日の統計データ」に切り替えるために使用するボタンでもある。ここで、各月の特定の日とは、カレンダーの表示対象日から丁度整数か月前にあたる当該月の日（当該月にそのような日が存在しない場合には当該月の末日）である。
【００７３】
以上、各ボタンについて説明したので、図４のフローチャートに従った動作の説明に戻る。
【００７４】
第１入力受付処理部２２２は、ステップＳ４にて上記過去の時期を指定する操作を受け付けたと判定した場合にはステップＳ２に戻り、ステップＳ４にて上記過去の時期を指定する操作を受け付けていないと判定した場合にはステップＳ５に進む。
【００７５】
例えば、図５のＵＩ画面が表示されたステップＳ３の後に、第１入力受付処理部２２２が「ログ表示切り替え」ボタンをタップする操作を受け付けたときは、第１入力受付処理部２２２は、ステップＳ２に戻る。そして、このステップＳ２の直後のステップＳ３において、ＵＩ表示処理部２２３は、図５のＵＩ画面を図６の（ａ）のＵＩ画面に更新する。
【００７６】
ここで、図６の（ａ）のＵＩ画面の下部に示されている各日付は、直近の７週間の期間における特定の曜日に該当する日付を示している。
【００７７】
また、図６の（ａ）のＵＩ画面において"11/15土"の列と"12"の行とが交差する領域（表示対象日である２０１５年１月３１日の特定の時間帯（１２時台）のスケジュールを入力するための欄内の領域）に示されている“20”の表記は、次のことを示している。
【００７８】
即ち、この表記は、電子掲示板１００が表示した広告を１１月１５日の１２時台（即ち、表示対象日から丁度整数週前にあたる過去の日における、上記特定の時間帯と同じ時間帯）に閲覧した人の数（該時間帯を対象とした統計データ）を示している。
【００７９】
また、例えば、図６の（ａ）のＵＩ画面が表示されたステップＳ３の後に、第１入力受付処理部２２２が「ログ表示切り替え」ボタンをタップする操作を受け付けたときは、第１入力受付処理部２２２は、ステップＳ２に戻る。そして、このステップＳ２の直後のステップＳ３において、ＵＩ表示処理部２２３は、図６の（ａ）のＵＩ画面を、例えば、図６の（ｂ）のＵＩ画面に更新する。
【００８０】
ここで、図６の（ｂ）のＵＩ画面の下部に示されている各日付は、直近の７か月の期間における各月の特定の日を示している。
【００８１】
また、図６の（ｂ）のＵＩ画面において"7/31木"の列と"12"の行とが交差する領域（表示対象日である２０１５年１月３１日の特定の時間帯（１２時台）のスケジュールを入力する欄内の領域）に示されている“10”の表記は、次のことを示している。
【００８２】
即ち、この表記は、電子掲示板１００が表示した広告を７月３１日の１２時台（即ち、表示対象日から丁度整数か月前にあたる過去の日における、上記特定の時間帯と同じ時間帯）に閲覧した人の数（該時間帯を対象とした統計データ）を示している。
【００８３】
以上、第１入力受付処理部２２２がステップＳ４にて上記過去の時期を指定する操作を受け付けたと判定した場合について説明したが、以下、第１入力受付処理部２２２がステップＳ４にて上記過去の時期を指定する操作を受け付けていない判定した場合について説明する。
【００８４】
ステップＳ５において、第１入力受付処理部２２２は、カレンダーの表示対象頁（表示対象日）を変更する操作がされたか否かを判定する。
【００８５】
スマートフォン２００は、カレンダーの表示対象頁（表示対象日）を変更する操作がされていないと判定した場合にはステップＳ７に進み、カレンダーの表示対象頁（表示対象日）を変更する操作がされたと判定した場合には、ステップＳ６に進む。
【００８６】
ここで、カレンダーの表示対象日を変更する操作について図７を参照しながら説明する。図７に示すように、カレンダーの表示対象日を変更する操作は、タッチパネル式表示部２４０に対するフリック操作である。即ち、ユーザは、右フリック操作によりカレンダーの表示対象日を１日戻すことができ、左フリック操作によりカレンダーの表示対象日を１日進めることができる。
【００８７】
ステップＳ６において、第１入力受付処理部２２２は操作の内容をＵＩ表示処理部２２３に通知し、ＵＩ表示処理部２２３は、通知された内容に従って、カレンダーの表示対象頁（表示対象日）を変更する。
【００８８】
なお、変更後の表示対象日が現在時刻が属する日よりも過去の日でない場合には、ＵＩ表示処理部２２３は、図７からわかるように、表示対象頁の変更後も、変更前の表示対象頁のＵＩ画面の下部の７つの日付を変更することなく、該７つの日付（及び、各欄の統計データ）を表示し続ける。
【００８９】
ステップＳ７において、第２入力受付処理部２２４は、広告表示のスケジュールを入力する操作（即ち、統計データが示されている欄をタップする操作）を受け付けたか否かを判定する。
【００９０】
スマートフォン２００は、広告表示のスケジュールを入力する操作を受け付けたと判定した場合にはステップＳ８に進み、広告表示のスケジュールを入力する操作を受け付けていないと判定した場合にはステップＳ９に進む。
【００９１】
ステップＳ８において、第２入力受付処理部２２４は、スマートフォン２００に記録されている広告画像の一覧の中から電子掲示板１００にアップロードする広告画像を選択するためのＵＩ部品を表示するように、ＵＩ表示処理部２２３に指示する。
【００９２】
ＵＩ表示処理部２２３は、指示に従ってＵＩ部品を表示するとともに、電子掲示板１００にアップロードする広告画像を電子掲示板１００が表示すべき期間（表示期間）を指定するための２つのＵＩ部品を表示する。
【００９３】
即ち、ＵＩ表示処理部２２３は、表示期間の開始時期を指定するためのＵＩ部品であってデフォルト値が時刻Ｔ（タップされた欄に対応する１時間の時間帯が始まる正時）であるようなＵＩ部品を表示する。同様に、ＵＩ表示処理部２２３は、表示期間の終了時期を指定するためのＵＩ部品であってデフォルト値が時刻Ｔの１時間後の時刻（タップされた欄に対応する１時間の時間帯が終わる正時）であるようなＵＩ部品を表示する。
【００９４】
第２入力受付処理部２２４は、広告画像を選択し、表示期間の開始時期および終了時期を指定する操作を受け付けると、広告画像とその広告画像が表示されるべき時期を示す情報とを含むスケジュール更新指示を電子掲示板１００に送信する。
【００９５】
ステップＳ９において、第１入力受付処理部２２２は、掲示板管理アプリケーションを終了する操作を受け付けたか否かを判定する。
【００９６】
スマートフォン２００は、掲示板管理アプリケーションを終了する操作を受け付けたと判定した場合には図４のフローチャートに従った動作を終了し、掲示板管理アプリケーションを終了する操作を受け付けていないと判定した場合にはステップＳ４に戻る。
【００９７】
以上、スマートフォン２００（掲示板管理アプリケーション）の動作について説明した。
【００９８】
なお、前述のように、ＵＩ表示処理部２２３が表示するＵＩ画面内には、前述の「左矢印」ボタンおよび「右矢印」ボタンが配置されている。従って、ＵＩ表示処理部２２３は、ユーザに指定された過去の任意の日について、以下の統計データが表示対象日の各時間帯に対応する欄に示されているようなＵＩ画面を表示できる。
【００９９】
即ち、ＵＩ表示処理部２２３は、ユーザに前述の「左矢印」ボタン及び／又は「右矢印」ボタンを用いて指定された日における「表示対象日の対象時間帯と同じ時間帯」を対象とした統計データが、表示対象日の対象時間帯に対応する欄に示されているようなＵＩ画面を表示できる。
【０１００】
（実施形態１の変形例１）
スマートフォン２００は、ステップＳ１において現在時刻が表示対象日の始期よりも過去でないと判定した場合には、以下の２つのステップを経た上で、ステップＳ４に進んでもよい。
【０１０１】
即ち、第１入力受付処理部２２２は、ステップＳ１の直後のステップにおいて、表示対象日に含まれる各時間帯について、対象時間帯を対象とした統計データを読み出し、読み出した統計データをＵＩ表示処理部２２３に渡してもよい。
【０１０２】
このステップの直後のステップにおいて、ＵＩ表示処理部２２３は、上記各時間帯について、第１入力受付処理部２２２から渡された「対象時間帯を対象とした統計データ」を、対象時間帯に対応する欄に表示してもよい。
【０１０３】
例えば、現在時刻が２０１４年１２月３１日の１３：００であり、表示対象日が２０１４年１２月２日である場合であって、電子掲示板１００が表示対象日において広告１および広告２を表示した場合、ＵＩ表示処理部２２３は、図８のＵＩ画面を表示してもよい。
【０１０４】
（実施形態１の変形例２）
統計データ生成処理部１２３は、毎日正時になる度に次の処理を行ってもよい。
【０１０５】
即ち、統計データ生成処理部１２３は、正時から１時間の間、正時以降に属性情報（具体的には、２０代以下を示す属性情報）が追加された回数を示すカウント値（正時以降に広告を閲覧した２０代以下の人の数を示すカウント値）の更新処理を行ってもよい。
【０１０６】
同様に、統計データ生成処理部１２３は、正時以降に広告を閲覧した３０代の人数を示すカウント値、正時以降に広告を閲覧した４０代の人数を示すカウント値、正時以降に広告を閲覧した５０代の人数を示すカウント値、及び、正時以降に広告を閲覧した６０代以上の人の数を示すカウント値の更新処理を行ってもよい。
【０１０７】
この場合、統計データ生成処理部１２３は、正時から１時間後になると、その時のカウント値を示すデータ（即ち、直近の１時間の間に広告を閲覧した「対象の年代の人」の数を、年代毎に示した統計データ）を生成することになる。
【０１０８】
電子掲示板１００の統計データ生成処理部１２３を上記のように構成した場合、ＵＩ表示処理部２２３は、ステップＳ３において、図９の（ａ）または図９の（ｂ）に示すようなＵＩ画面を表示してもよい。
【０１０９】
即ち、ＵＩ表示処理部２２３は、現在時刻が属する日よりも未来にあたる表示対象日の各時間帯に対応する欄に、該時間帯と相関がある過去の時期を対象とした統計データであって、対象の年代に関する統計値が年代毎に示された統計データを表示してもよい。
【０１１０】
なお、図９の（ａ）および（ｂ）からわかるように、ＵＩ表示処理部２２３は、統計データが表示されている位置の上方に人物を模したアイコン（人物アイコン）が配置されているようなＵＩ画面を表示するようになっている。
【０１１１】
これに関し、ＵＩ表示処理部２２３が表示するＵＩ画面においては、年代毎に、対象の年代の統計データが示されている位置の上方に対象の年代に対応する人物アイコンが配置されていてもよい。
【０１１２】
（実施形態１の変形例３）
ＵＩ表示処理部２２３は、過去の特定の７つの日の各時間帯を対象とする統計データが示されたＵＩ画面（図５および図６に例示されるＵＩ画面）を表示するようになっていた。
【０１１３】
そして、図５および図６からわかるように、これら特定の７つの日を示す７つの日付は、ＵＩ画面の下部に示されていた。
【０１１４】
しかしながら、本発明はそのような構成に限定されない。
【０１１５】
即ち、ＵＩ表示処理部２２３は、過去の特定の６つの日の各時間帯を対象とする統計データが示され、これら６つの日と表示対象日とから成る７つの日付がＵＩ画面の上部に示されるようなＵＩ画面（例えば、図１０（ａ）〜図１０（ｃ）のＵＩ画面）を表示してもよい。
【０１１６】
より具体的には、ＵＩ表示処理部２２３は、表示対象日が右端に位置し、且つ、６つの日付の各々が、その日付の各時間帯を対象とする統計データが示されている列の上部に位置するように、上記７つの日付を横方向に並べて配置することにより、上記ＵＩ画面を表示してもよい。
【０１１７】
（実施形態１の変形例４）
静電容量式のタッチパネル式ディスプレイであるタッチパネル式表示部２４０に代えて、他の種類のタッチパネル式ディスプレイ、または、タッチパネルを備えていないディスプレイを採用してもよい。
【０１１８】
この場合、フリック操作とは異なる種類の操作（静電容量式のタッチパネル式ディスプレイを備えていないスマートフォンが受け付けることが可能な操作）によって表示対象頁が変更されるように、スマートフォン２００の設計を変更する必要があるが、そのような設計変更は当業者にとって自明である。
【０１１９】
（実施形態１の変形例５）
統計データ生成処理部１２３は、毎日正時になる度に次の処理を行ってもよい。
【０１２０】
即ち、統計データ生成処理部１２３は、正時から１時間の間、正時以降に属性情報（具体的には、男性を示す属性情報）が追加された回数を示すカウント値（正時以降に広告を閲覧した男性の数を示すカウント値）の更新処理を行ってもよい。
【０１２１】
同様に、統計データ生成処理部１２３は、正時以降に広告を閲覧した女性の人数を示すカウント値の更新処理を行ってもよい。
【０１２２】
この場合、統計データ生成処理部１２３は、正時から１時間後になると、その時のカウント値を示すデータ（即ち、直近の１時間の間に広告を閲覧した人の数を男女別に示した統計データ）を生成することになる。
【０１２３】
電子掲示板１００の統計データ生成処理部１２３を上記のように構成した場合、ＵＩ表示処理部２２３は、現在時刻が属する日よりも未来にあたる表示対象日の各時間帯に対応する欄に、該時間帯と相関がある過去の時期を対象とした統計データとして、男性を対象とした統計データと女性を対象とした統計データとを表示してもよい。
【０１２４】
（実施形態１の変形例６）
電子掲示板４００に表示されている広告を閲覧した人の数をカウントするためのデバイスは、カメラ１５０には限定されない。即ち、そのようなデバイスとして、カメラ１５０ではなく人感センサ（例えば、赤外線センサ）を用いてもよい。
【０１２５】
（実施形態１の変形例７）
スマートフォン２００は本発明に係る情報機器の一例に過ぎない。即ち、スマートフォン２００の代わりに、スマートフォン２００と同様の特徴を備えた他の種類の情報機器（例えば、タブレット端末、フィーチャーフォン、パーソナルコンピュータ等）を用いることもできる。
【０１２６】
＜実施形態２＞
以下、更に図１１〜図１５を参照して、本発明の別の一実施形態に係る電子掲示板システムについて説明する。なお、説明の便宜上、実施形態１にて説明した部材と全く同じ機能又は略同じ機能を有する部材については、基本的には、同じ符号を付記した上でその説明を省略する。
【０１２７】
（電子掲示板システムの概要および構成）
本実施形態に係る電子掲示板システムは、実施形態１に係る電子掲示板システムと同様に構成されており、実施形態１に係る電子掲示板システムと同様の方法で利用される。
【０１２８】
即ち、当業者は、実施形態１の説明を読むことにより、本実施形態に係る電子掲示板システムの概要および構成について理解できる。従って、ここでは、本実施形態に係る電子掲示板システムの概要および構成についての説明を省略する。
【０１２９】
次に、電子掲示板１００およびスマートフォン２００の構成について図２を参照しながら説明する。
【０１３０】
図２は、スマートフォン２００および電子掲示板１００の各構成を示すブロック図である。
【０１３１】
（スマートフォン２００の構成）
本実施形態に係るスマートフォン２００は、実施形態１に係る電子掲示板１００とほぼ同じように構成されている。
【０１３２】
即ち、図２の（ａ）に示すように、本実施形態に係るスマートフォン２００は、通信モジュール部２１０、制御部２２０、記録媒体２３０、及び、タッチパネル式表示部２４０を備えている。
【０１３３】
また、制御部２２０は、図２の（ａ）に示すように、掲示板管理アプリケーションを実行することにより、統計データ取得処理部２２１、第１入力受付処理部２２２、ＵＩ表示処理部２２３、及び、第２入力受付処理部２２４として機能する。
【０１３４】
ＵＩ表示処理部２２３は、掲示板管理アプリケーションの様々なＵＩ画面（週めくりカレンダー型のＵＩ画面）を表示する。
【０１３５】
ＵＩ表示処理部２２３は、現在時刻が属する週よりも未来の週（期間）に対応する頁のＵＩ画面として、その週の各曜日の各時間帯（各時期）に対応する欄に、対象の時間帯と相関がある過去の時期を対象とした統計データが示されているようなＵＩ画面を表示する機能を備えている。
【０１３６】
次に、本実施形態に係るスマートフォン２００（具体的には、掲示板管理アプリケーション）の動作について、図４、図１１〜図１３を参照しながら説明する。
【０１３７】
図１１は、スマートフォン２００が掲示板管理アプリケーションを実行することにより表示するカレンダー型のＵＩ画面の一例を示した画面図である。
【０１３８】
図１２は、スマートフォン２００が掲示板管理アプリケーションを実行することにより表示する特徴的なカレンダー型のＵＩ画面を例示した画面図である。図１３は、掲示板管理アプリケーションを実行中のスマートフォン２００に対する、カレンダーの表示対象頁を切り替えるための操作の説明図である。
【０１３９】
（スマートフォン２００の動作）
本実施形態に係るスマートフォン２００も、図４のフローチャートに従った動作を行う。以下では、スマートフォン２００がこの動作を行う時刻（現在時刻）が２０１４年１２月３１日の１３：００である例を挙げながら、スマートフォン２００の動作について詳細に説明する。
【０１４０】
なお、スマートフォン２００は、以下に説明する動作の開始前に、図１１に例示されるような「統計データが示されていないＵＩ画面」を表示しているものとする。
【０１４１】
タッチパネル式表示部２４０の「ログ表示切り替え」ボタンが表示されている部分がタップされると、第１入力受付処理部２２２は、タップ操作をトリガとして、ステップＳ１において、現在時刻が表示対象頁に対応する期間である表示対象期間（本実施形態では表示対象週）の始期よりも過去か否かを判定する。
【０１４２】
スマートフォン２００は、現在時刻が表示対象期間の始期よりも過去であると判定した場合にはステップＳ２に進み、現在時刻が表示対象期間の始期よりも過去でないと判定した場合にはステップＳ４に進む。
【０１４３】
例えば、ステップＳ１の開始前に、図１１のＵＩ画面（即ち、表示対象頁が現在時刻よりも未来である２０１５年１月の最後の週の頁となっているＵＩ画面）が表示されている場合、スマートフォン２００は、ステップＳ２に進む。
【０１４４】
ステップＳ２において、第１入力受付処理部２２２は、表示対象週の各時間帯について、対象時間帯と相関のある過去の時期を対象とした統計データを読み出し、読み出した統計データをＵＩ表示処理部２２３に渡す。
【０１４５】
ここで、ステップＳ１の直後のステップＳ２における上記過去の時期は、現在時刻が属する日を含む「日曜日から土曜日までの１週間」のうち、対象時間帯が属する日が該当する曜日と同じ曜日における、対象時間帯と同じ時間帯である。
【０１４６】
ステップＳ２の後、ＵＩ表示処理部２２３は、上記各時間帯について、第１入力受付処理部２２２から渡された「対象時間帯と相関のある過去の時期を対象とした統計データ」を、対象時間帯のスケジュールを入力するための欄に表示する（ステップＳ３）
即ち、ＵＩ表示処理部２２３は、直後の２ステップがステップＳ１およびステップＳ２である場合、例えば、図１１のＵＩ画面を図１２の（ａ）のＵＩ画面に更新する。
【０１４７】
ここで、図１２の（ａ）のＵＩ画面の下部に示されている、"12/28"から"1/3"までの７日間の日付は、現在時刻が属する日を含む「日曜日から土曜日までの１週間」を示している。
【０１４８】
また、図１２の（ａ）のＵＩ画面において"12/28"の列と"12"の行とが交差する領域（２０１５年１月２６日の特定の時間帯（１２時台）のスケジュールを入力する欄）に示されている“50”の表記は、次のことを示している。
【０１４９】
即ち、この表記は、電子掲示板１００が表示した広告を２０１４年１２月２８日の１２時台（即ち、上記特定の時間帯と曜日および時間帯の両方において相関のある過去の時期）に閲覧した人の数（該過去の時期を対象とした統計データ）を示している。
【０１５０】
ステップＳ３の後、第１入力受付処理部２２２は、上記過去の時期を指定する操作（具体的には、「ログ表示切り替え」ボタンをタップする操作、又は、「ログ表示切り替え」ボタンの右隣の「左矢印」ボタンもしくは「右矢印」ボタンをタップする操作）を受け付けたか否かを判定する（ステップＳ４）。
【０１５１】
ここで、「左矢印」ボタンもしくは「右矢印」ボタンは、それぞれ、実施形態１で説明した「左矢印」ボタンもしくは「右矢印」ボタンと類似する役割を持つボタンである。
【０１５２】
また、「ログ表示切り替え」ボタンは、ユーザが、ＵＩ画面に表示されている統計データを、「過去の日曜日から土曜日までの特定の１週間の統計データ」から「直近の７週間の期間における特定の曜日の統計データ」に切り替えるために使用するボタンである。ここで、特定の曜日とは、カレンダーの表示対象日が該当する曜日と同じ曜日のことである。
【０１５３】
また、「ログ表示切り替え」ボタンは、ユーザが、ＵＩ画面に統計データが表示されていない状況において、現在時刻が属する日を含む「日曜日から土曜日までの１週間」の統計データをＵＩ画面に表示させるために使用するボタンであるとともに、以下の目的で使用されるボタンでもある。
【０１５４】
即ち、「ログ表示切り替え」ボタンは、ユーザが、ＵＩ画面に統計データが表示されている状況において、ＵＩ画面に表示されている統計データを「現在時刻が属する月の第Ｎ週目の１週間（該１週間の始期が現在時刻よりも未来である場合には、現在時刻が属する月の前月の第Ｎ週目の１週間）の統計データ」に切り替えるために使用するボタンでもある。ここで、Ｎは、表示対象週がひと月の第何週目にあたるかを示す値である。
【０１５５】
第１入力受付処理部２２２は、ステップＳ４にて上記過去の時期を指定する操作を受け付けたと判定した場合にはステップＳ２に戻り、ステップＳ４にて上記過去の時期を指定する操作を受け付けていないと判定した場合にはステップＳ５に進む。
【０１５６】
例えば、図１２の（ａ）のＵＩ画面が表示されたステップＳ３の後に、第１入力受付処理部２２２が「ログ表示切り替え」ボタンをタップする操作を受け付けたときは、第１入力受付処理部２２２は、ステップＳ２に戻る。そして、このステップＳ２の直後のステップＳ３において、ＵＩ表示処理部２２３は、図１２の（ａ）のＵＩ画面を、例えば、図１２の（ｂ）のＵＩ画面に更新する。
【０１５７】
ステップＳ５において、第１入力受付処理部２２２は、カレンダーの表示対象頁（表示対象週）を変更する操作がされたか否かを判定する。
【０１５８】
スマートフォン２００は、カレンダーの表示対象頁（表示対象週）を変更する操作がされていないと判定した場合にはステップＳ７に進み、カレンダーの表示対象頁（表示対象週）を変更する操作がされたと判定した場合には、ステップＳ６に進む。
【０１５９】
ここで、カレンダーの表示対象週を変更する操作について図１３を参照しながら説明する。図１３に示すように、カレンダーの表示対象週を変更する操作は、タッチパネル式表示部２４０に対するフリック操作である。即ち、ユーザは、右フリック操作によりカレンダーの表示対象週を１週戻すことができ、左フリック操作によりカレンダーの表示対象日を１週進めることができる。
【０１６０】
ステップＳ６において、第１入力受付処理部２２２は操作の内容をＵＩ表示処理部２２３に通知し、ＵＩ表示処理部２２３は、通知された内容に従って、カレンダーの表示対象頁（表示対象週）を変更する。
【０１６１】
なお、変更後の表示対象週が現在時刻が属する週よりも過去の週でない場合には、ＵＩ表示処理部２２３は、図１３からわかるように、表示対象頁の変更後も、変更前の表示対象頁のＵＩ画面の下部の７つの日付を変更することなく、該７つの日付（及び、各欄の統計データ）を表示し続ける。
【０１６２】
なお、本実施形態に係るスマートフォン２００が、ステップＳ７〜ステップＳ９において行う処理は、既に説明済の、実施形態１に係るスマートフォン２００がステップＳ７〜ステップＳ９において行う処理と全く同じ処理である。そのため、本実施形態に係るスマートフォン２００が、ステップＳ７〜ステップＳ９において行う処理についての具体的な説明は省略する。
【０１６３】
以上、本実施形態に係るスマートフォン２００（掲示板管理アプリケーション）の動作について説明した。
【０１６４】
（実施形態２の変形例１）
図１４を参照して、実施形態２の変形例１に係るスマートフォン２００について説明する。
【０１６５】
図１４は、実施形態２の変形例１に係るスマートフォン２００が表示する特徴的なカレンダー型のＵＩ画面の例示した画面図である。
【０１６６】
変形例１においては、スマートフォン２００は、ステップＳ１において現在時刻が表示対象週の始期よりも過去でないと判定した場合には、以下の２つのステップを経た上で、ステップＳ４に進んでもよい。
【０１６７】
即ち、第１入力受付処理部２２２は、ステップＳ１の直後のステップにおいて、表示対象週の各曜日の各時間帯について、対象時間帯を対象とした統計データを読み出し、読み出した統計データをＵＩ表示処理部２２３に渡してもよい。
【０１６８】
このステップの直後のステップにおいて、ＵＩ表示処理部２２３は、上記各時間帯について、第１入力受付処理部２２２から渡された「対象時間帯を対象とした統計データ」を、対象時間帯に対応する欄に表示してもよい。
【０１６９】
例えば、現在時刻が２０１４年１２月３１日の１３：００であり、表示対象週が２０１４年１２月１６日から２０１４年１２月２２日までの週である場合であって、電子掲示板１００が表示対象週において広告１および広告２を表示した場合、ＵＩ表示処理部２２３は、例えば、図１４のＵＩ画面を表示してもよい。
【０１７０】
（実施形態２の変形例２）
図１５を参照して、実施形態２の変形例２に係るスマートフォン２００について説明する。
【０１７１】
図１５は、実施形態２の変形例２に係るスマートフォン２００が表示する特徴的なカレンダー型のＵＩ画面の例示した画面図である。
【０１７２】
変形例２においては、ステップＳ１の直後のステップＳ２における上記過去の時期は、以下の２つの時間帯であってもよい。
・現在時刻が属する日を含む「日曜日から土曜日までの１週間」のうち、対象時間帯が属する日が該当する曜日と同じ曜日における、対象時間帯と同じ時間帯（第１の時間帯）
・その直前の「日曜日から土曜日までの１週間」のうち、対象時間帯が属する日が該当する曜日と同じ曜日における、対象時間帯と同じ時間帯（第２の時間帯）
この場合、ＵＩ表示処理部２２３は、ステップＳ３において、例えば、以下の特徴を有する図１５のＵＩ画面を表示してもよい。
・現在時刻が属する日を含む「日曜日から土曜日までの１週間」の日付が示される水平帯状領域が、その直前の「日曜日から土曜日までの１週間」の日付が示される水平帯状領域よりも下に配置されている。
・表示対象週の各時間帯に対応する欄において、第１の時間帯を対象とした統計データと第２の時間帯を対象とした統計データとが上下に並んでいる（具体的には、下側に前者の統計データが示され、上側に後者の統計データが示されている）
＜実施形態３＞
以下、更に図１６〜図１９を参照して、本発明の更に別の一実施形態に係る電子掲示板システムについて説明する。なお、説明の便宜上、実施形態１にて説明した部材と全く同じ機能又は略同じ機能を有する部材については、基本的には、同じ符号を付記した上でその説明を省略する。
【０１７３】
（電子掲示板システムの概要および構成）
本実施形態に係る電子掲示板システムは、実施形態１に係る電子掲示板システムと同様に構成されており、実施形態１に係る電子掲示板システムと同様の方法で利用される。
【０１７４】
即ち、当業者は、実施形態１の説明を読むことにより、本実施形態に係る電子掲示板システムの概要および構成について理解できる。従って、ここでは、本実施形態に係る電子掲示板システムの概要および構成についての説明を省略する。
【０１７５】
次に、電子掲示板１００およびスマートフォン２００の構成について図２を参照しながら説明する。
【０１７６】
（電子掲示板１００の構成）
本実施形態に係る電子掲示板１００は、実施形態１、２に係る電子掲示板１００とほぼ同じように構成されている。
【０１７７】
即ち、図２の（ｂ）に示すように、電子掲示板１００は、通信モジュール部１１０、制御部１２０、記録媒体１３０、表示部１４０、及び、カメラ１５０を備えている。
【０１７８】
記録媒体１３０には、日付が変わる度に生成される統計データ（電子掲示板１００によって表示された広告を直近の１日の間に閲覧した人の数を示す統計データ）が記録される。また、記録媒体１３０には、広告表示のスケジュールを示す広告表示スケジュール情報が記録されている。また、記録媒体１３０には、広告表示アプリケーションがインストールされている。
【０１７９】
制御部１２０は、広告表示アプリケーションを実行することにより、広告表示スケジュール情報更新処理部１２１、広告表示処理部１２２、統計データ生成処理部１２３、及び、統計データ送信処理部１２４として機能する。
【０１８０】
統計データ生成処理部１２３は、公知の顔認識アルゴリズムを用いてカメラ１５０が取り込んだ顔画像から広告の閲覧者の属性（例えば、性別及び／又は年代）を特定する度に、特定した属性を示す属性情報をログに追加する。
【０１８１】
統計データ生成処理部１２３は、日付が変わる度に２４時間に亘って次の処理を行う。
【０１８２】
即ち、統計データ生成処理部１２３は、その２４時間の間に属性情報が追加された回数を示すカウント値の更新処理を行う。統計データ生成処理部１２３は、２４時間が経過して次の日になると、その時のカウント値を示すデータ（即ち、直近の１日の間に広告を閲覧した人の数を示す統計データ）を生成することになる。
【０１８３】
（スマートフォン２００の構成）
本実施形態に係るスマートフォン２００は、実施形態１、２に係る電子掲示板１００とほぼ同じように構成されている。
【０１８４】
即ち、図２の（ａ）に示すように、本実施形態に係るスマートフォン２００は、通信モジュール部２１０、制御部２２０、記録媒体２３０、及び、タッチパネル式表示部２４０を備えている。
【０１８５】
また、制御部２２０は、図２の（ａ）に示すように、掲示板管理アプリケーションを実行することにより、統計データ取得処理部２２１、第１入力受付処理部２２２、ＵＩ表示処理部２２３、及び、第２入力受付処理部２２４として機能する。
【０１８６】
ＵＩ表示処理部２２３は、掲示板管理アプリケーションの様々なＵＩ画面（月めくりカレンダー型のＵＩ画面）を表示する。
【０１８７】
ＵＩ表示処理部２２３は、現在時刻が属する月よりも未来の月（期間）に対応する頁のＵＩ画面として、その月の各日（各時期）に対応する欄に、対象の日と相関がある過去の日を対象とした統計データが示されているようなＵＩ画面を表示する機能を備えている。
【０１８８】
次に、本実施形態に係るスマートフォン２００（具体的には、掲示板管理アプリケーション）の動作について、図４、図１６、および図１７を参照しながら説明する。
【０１８９】
図１６は、スマートフォン２００が掲示板管理アプリケーションを実行することにより表示するカレンダー型のＵＩ画面の一例を示した画面図である。
【０１９０】
図１７は、スマートフォン２００が表示する特徴的なカレンダー型のＵＩ画面の例示した画面図であり、スマートフォン２００に対する、カレンダーの表示対象頁を切り替えるための操作の説明図でもある。
【０１９１】
（スマートフォン２００の動作）
本実施形態に係るスマートフォン２００も、図４のフローチャートに従った動作を行う。以下では、スマートフォン２００がこの動作を行う時刻（現在時刻）が２０１４年１２月３１日の１３：００である例を挙げながら、スマートフォン２００の動作について詳細に説明する。
【０１９２】
なお、スマートフォン２００は、以下に説明する動作の開始前に、図１６に例示されるような「未来の日に対応する欄に統計データが示されていないＵＩ画面」を表示しているものとする。また、図１６のＵＩ画面の各欄のオブジェクト１６は、その欄に対応する日の広告表示のスケジュールが過去に決まったことを示している。
【０１９３】
タッチパネル式表示部２４０の「ログ表示切り替え」ボタンが表示されている部分がタップされると、第１入力受付処理部２２２は、タップ操作をトリガとして、ステップＳ１において、現在時刻が表示対象頁に対応する期間である表示対象期間（本実施形態では表示対象月）の始期よりも過去か否かを判定する。
【０１９４】
スマートフォン２００は、現在時刻が表示対象期間の始期よりも過去であると判定した場合にはステップＳ２に進み、現在時刻が表示対象期間の始期よりも過去でないと判定した場合にはステップＳ４に進む。
【０１９５】
例えば、ステップＳ１の開始前に、図１６のＵＩ画面（即ち、表示対象頁が現在時刻よりも未来である２０１５年１月の頁となっているＵＩ画面）が表示されている場合、スマートフォン２００は、ステップＳ２に進む。
【０１９６】
ステップＳ２において、第１入力受付処理部２２２は、表示対象月の各日について、対象の日と相関のある過去の日を対象とした統計データを読み出し、読み出した統計データをＵＩ表示処理部２２３に渡す。
【０１９７】
ここで、ステップＳ１の直後のステップＳ２における上記過去の日は、現在時刻が属する月（以下、「今月」とも称する）の１月前の特定の日（具体的には、表示対象月の対象の日からＭ（Ｍ：整数）か月前にあたる日）である。
【０１９８】
ステップＳ２の後、ＵＩ表示処理部２２３は、上記各日について、第１入力受付処理部２２２から渡された「対象の日と相関のある過去の日を対象とした統計データ」を、対象の日のスケジュールを入力するための欄に表示する（ステップＳ３）。ここで、ＵＩ表示処理部２２３は、表示対象月に属する日に対応する欄と今月の月末の日に対応する欄とが含まれている場合には、今月の月末の日に対応する欄に示されている、その日を対象とする統計データを消去する。
【０１９９】
即ち、ＵＩ表示処理部２２３は、直後の２ステップがステップＳ１およびステップＳ２である場合、例えば、図１６のＵＩ画面を図１７の左側に示されているＵＩ画面に更新する。
【０２００】
ステップＳ３の後、第１入力受付処理部２２２は、上記過去の時期を指定する操作（具体的には、「ログ表示切り替え」ボタンの右隣の「左矢印」ボタンもしくは「右矢印」ボタンをタップする操作）を受け付けたか否かを判定する（ステップＳ４）。
【０２０１】
ここで、「左矢印」ボタンもしくは「右矢印」ボタンは、それぞれ、実施形態１で説明した「左矢印」ボタンもしくは「右矢印」ボタンと類似する役割を持つボタンである。
【０２０２】
第１入力受付処理部２２２は、ステップＳ４にて上記過去の時期を指定する操作を受け付けたと判定した場合にはステップＳ２に戻り、ステップＳ４にて上記過去の時期を指定する操作を受け付けていないと判定した場合にはステップＳ５に進む。
【０２０３】
例えば、図１７の左側に示されているＵＩ画面が表示されたステップＳ３の後に、第１入力受付処理部２２２が「左矢印」ボタンをタップする操作を受け付けたときは、第１入力受付処理部２２２は、ステップＳ２に戻る。
【０２０４】
そして、第１入力受付処理部２２２は、このステップＳ２において、表示対象月の各日について、対象の日と相関のある過去の日（具体的には、対象の日から丁度Ｍ＋１か月前にあたる日）を対象とする統計データを読み出し、読み出した統計データをＵＩ表示処理部２２３に渡す。
【０２０５】
ＵＩ表示処理部２２３は、その直後のステップＳ３において、図１７の左側の「２０１４年１１月の各日の統計データが示されているＵＩ画面」を「２０１４年１０月の各日の統計データが示されているＵＩ画面」に更新する。
【０２０６】
ステップＳ５において、第１入力受付処理部２２２は、カレンダーの表示対象頁（表示対象月）を変更する操作がされたか否かを判定する。
【０２０７】
スマートフォン２００は、カレンダーの表示対象頁（表示対象月）を変更する操作がされていないと判定した場合にはステップＳ７に進み、カレンダーの表示対象頁（表示対象月）を変更する操作がされたと判定した場合には、ステップＳ６に進む。
【０２０８】
ここで、カレンダーの表示対象月を変更する操作について引き続き図１７を参照しながら説明する。図１７に示すように、カレンダーの表示対象月を変更する操作は、タッチパネル式表示部２４０に対するフリック操作である。即ち、ユーザは、下フリック操作によりカレンダーの表示対象月を１月戻すことができ、上フリック操作によりカレンダーの表示対象月を１月進めることができる。
【０２０９】
ステップＳ６において、第１入力受付処理部２２２は操作の内容をＵＩ表示処理部２２３に通知し、ＵＩ表示処理部２２３は、通知された内容に従って、カレンダーの表示対象頁（表示対象月）を変更する。
【０２１０】
ステップＳ７において、第２入力受付処理部２２４は、広告表示のスケジュールを入力する操作（即ち、統計データが示されている欄をタップする操作）を受け付けたか否かを判定する。
【０２１１】
スマートフォン２００は、広告表示のスケジュールを入力する操作を受け付けたと判定した場合にはステップＳ８に進み、広告表示のスケジュールを入力する操作を受け付けていないと判定した場合にはステップＳ９に進む。
【０２１２】
ステップＳ８において、第２入力受付処理部２２４は、スマートフォン２００に記録されている広告画像の一覧の中から電子掲示板１００にアップロードする広告画像を選択するためのＵＩ部品を表示するように、ＵＩ表示処理部２２３に指示する。ＵＩ表示処理部２２３は、指示に従ってＵＩ部品を表示する。
【０２１３】
第２入力受付処理部２２４は、広告画像を選択する操作を受け付けると、広告画像とその広告画像が表示されるべき日（ステップＳ７においてタップされた欄に対応する日）を示す情報とを含むスケジュール更新指示を電子掲示板１００に送信する。
【０２１４】
ステップＳ９において、第１入力受付処理部２２２は、掲示板管理アプリケーションを終了する操作を受け付けたか否かを判定する。
【０２１５】
スマートフォン２００は、掲示板管理アプリケーションを終了する操作を受け付けたと判定した場合には図４のフローチャートに従った動作を終了し、掲示板管理アプリケーションを終了する操作を受け付けていないと判定した場合にはステップＳ４に戻る。
【０２１６】
以上、スマートフォン２００（掲示板管理アプリケーション）の動作について説明した。
【０２１７】
（実施形態３の変形例１）
図１８を参照して、実施形態３の変形例１に係るスマートフォン２００について説明する。
【０２１８】
図１８は、実施形態３の変形例１に係るスマートフォン２００が表示する特徴的なカレンダー型のＵＩ画面の例示した画面図である。
【０２１９】
変形例１においては、スマートフォン２００は、ステップＳ１において現在時刻が表示対象週の始期よりも過去でないと判定した場合には、以下の２つのステップを経た上で、ステップＳ４に進んでもよい。
【０２２０】
即ち、第１入力受付処理部２２２は、ステップＳ１の直後のステップにおいて、表示対象月の各日について、対象の日を対象とした統計データを読み出し、読み出した統計データをＵＩ表示処理部２２３に渡してもよい。
【０２２１】
このステップの直後のステップにおいて、ＵＩ表示処理部２２３は、上記各日について、第１入力受付処理部２２２から渡された「対象の日を対象とした統計データ」を、対象の日に対応する欄に表示してもよい。
【０２２２】
例えば、現在時刻が２０１４年１２月３１日の１３：００であり、表示対象月が２０１４年１２月である場合、ＵＩ表示処理部２２３は、例えば、図１８のＵＩ画面を表示してもよい。
【０２２３】
（実施形態３の変形例２）
図１９を参照して、実施形態３の変形例２に係るスマートフォン２００について説明する。
【０２２４】
図１９は、実施形態３の変形例２に係るスマートフォン２００が表示する特徴的なカレンダー型のＵＩ画面の例示した画面図である。
【０２２５】
変形例３においては、ステップＳ１の直後のステップＳ２における上記過去の時期は、今月の１月前および２月前にあたる各月の特定の日（具体的には、表示対象月の対象の日から整数か月前にあたる日）であってもよい。
【０２２６】
この場合、ＵＩ表示処理部２２３は、ステップＳ３において、例えば、以下の特徴を有する図９のＵＩ画面を表示してもよい。
・今月の１か月前にあたる月の初日が該当する曜日が左端に示され、その月の７日目が該当する曜日が右端に示されているような水平帯状領域（第１の水平帯状領域）がＵＩ画面の下部に配置されている。
・今月の２か月前にあたる月の初日が該当する曜日が左端に示され、その月の７日目が該当する曜日が右端に示されているような水平帯状領域（第２の水平帯状領域）もＵＩ画面の下部（第１の水平帯状領域よりも上側）に配置されている。
・表示対象月の各日に対応する欄において、今月の１月前にあたる月の特定の日を対象とした統計データと今月の２月前にあたる月の特定の日を対象とした統計データとが上下に並んでいる（具体的には、下側に前者の統計データが示され、上側に後者の統計データが示されている）。
【０２２７】
＜実施形態４＞
以下、図２０〜図２２を参照して、本発明の実施形態４に係る電子掲示板システムについて説明する。
【０２２８】
（電子掲示板システムの概要および構成）
まず、本実施形態に係る電子掲示板システムの概要および構成について図２０を参照しながら説明する。
【０２２９】
図２０は、本実施形態に係る電子掲示板システムのシステム構成図である。
【０２３０】
図２０に示すように、本実施形態に係る電子掲示板システムは、電子掲示板４００が各大学の構内に設置されている電子掲示板システムであり、電子掲示板４００、サーバ３００、およびスマートフォン２００’を含んでいる。
【０２３１】
電子掲示板４００は、サーバ３００から掲示画像を送信されると、表示中の掲示画像をサーバ３００から送信された掲示画像に更新するようになっている。また、電子掲示板４００は、掲示画像の閲覧者を認識する機能を備えている。
【０２３２】
サーバ３００は、各大学の電子掲示板４００を管理するためのサーバであり、クラウド上に配置されている。
【０２３３】
サーバ３００は、各大学の電子掲示板４００について、対象の電子掲示板４００における掲示画像の表示スケジュールに関する情報を保持しており、この情報に基づいて、適切な時期に適切な掲示画像を対象の電子掲示板４００に送信する。
【０２３４】
スマートフォン２００’は、掲示板管理アプリケーションがインストールされている携帯端末である。
【０２３５】
掲示板管理アプリケーションは、ユーザが、大学の学園祭の開催時にその大学の電子掲示板４００に「過去の統計データを考慮してユーザが適切に選択した掲示画像」を表示させる目的で使用するアプリケーションである。具体的には、掲示板管理アプリケーションは、該目的が達成されるようにサーバ３００が保持している「掲示画像の表示スケジュールに関する情報」を更新する機能を備えたアプリケーションである。
【０２３６】
この掲示板管理アプリケーションが表示する「学園祭の一覧を示すＵＩ画面」に大きな特徴があるので、後に、このＵＩ画面について詳細に説明する。
【０２３７】
なお、本実施形態においては、電子掲示板４００が設置される場所を大学としているが、本発明において、電子掲示板の設置場所には特段の制限はない。
【０２３８】
次に、電子掲示板４００およびスマートフォン２００’の構成について図２１を参照しながら説明する。
【０２３９】
図２１は、スマートフォン２００’および電子掲示板４００の各構成を示すブロック図である。
【０２４０】
（電子掲示板４００の構成）
図２１の（ｂ）に示すように、電子掲示板４００は、通信モジュール部１１０、制御部４２０、記録媒体４３０、表示部４４０、及び、カメラ４５０を備えている。
【０２４１】
通信モジュール部４１０は、ＩＰ通信に対応した通信モジュールである。
【０２４２】
制御部４２０はＣＰＵである。
【０２４３】
記録媒体４３０には、広告表示アプリケーションによって毎日の統計データ（電子掲示板４００によって表示された掲示画像を２４時間の間に閲覧した人の数を示す統計データ）が記録される。
【０２４４】
表示部４４０は、掲示画像が表示されるディスプレイである。
【０２４５】
カメラ４５０は、表示部４４０に表示されている掲示画像を閲覧している者の顔画像を取り込むことができる位置に配置されている。
【０２４６】
制御部４２０は、広告表示アプリケーションを実行することにより、掲示画像データ取得処理部４２１、掲示画像表示処理部４２２、統計データ生成処理部４２３、及び、統計データ送信処理部４２４として機能する。
【０２４７】
掲示画像データ取得処理部４２１は、サーバ３００から掲示画像を取得する。
【０２４８】
掲示画像表示処理部４２２は、掲示画像データ取得処理部４２１が掲示画像を取得するとすぐに、その掲示画像を表示部４４０に表示する。
【０２４９】
統計データ生成処理部４２３は、実施形態３に係る統計データ生成処理部１２３と同様の処理を行う。
【０２５０】
統計データ送信処理部４２４は、統計データ生成処理部４２３が統計データを生成する度に、その統計データをサーバ３００に送信する。
【０２５１】
（スマートフォン２００’の構成）
図２１の（ａ）に示すように、スマートフォン２００’は、通信モジュール部２１０’、制御部２２０’、記録媒体２３０、及び、タッチパネル式表示部２４０を備えている。
【０２５２】
通信モジュール部２１０は、ＩＰ通信に対応した通信モジュールである。
【０２５３】
制御部２２０はＣＰＵである。
【０２５４】
記録媒体２３０には、サーバ３００から受信した統計データ、および広告画像が記録されている。また、記録媒体２３０には、掲示板管理アプリケーションがインストールされている。
【０２５５】
制御部２２０は、掲示板管理アプリケーションを実行することにより、第１入力受付処理部２２２’、ＵＩ表示処理部２２３’、及び、第２入力受付処理部２２４’として機能する。
【０２５６】
第１入力受付処理部２２２は、掲示板管理アプリケーションのＵＩ画面を通じて、全般的な入力操作（例えば、「ログ表示切替え」ボタンの入力操作）を受け付ける。
【０２５７】
ＵＩ表示処理部２２３は、掲示板管理アプリケーションのＵＩ画面を表示する。
【０２５８】
ＵＩ表示処理部２２３は、大学の学園祭（繰り返し開催されるイベント）の今年の開催予定期間における各掲示板の掲示画像表示スケジュールを入力する欄に、その大学の学園祭の前年の開催期間の各日（該イベントの過去の開催時期）を対象とした統計データが示されているようなＵＩ画面を表示する機能を備えている。
【０２５９】
第２入力受付処理部２２４は、掲示板管理アプリケーションのＵＩ画面を通じて、掲示画像表示スケジュールの入力操作を受け付ける。掲示画像表示スケジュールの入力操作は、具体的には、電子掲示板４００を指定する操作、及び、その電子掲示板４００が設置されている大学の学園祭の開催予定期間に亘ってその電子掲示板４００に表示させる掲示画像を選択する操作から構成される。
【０２６０】
第２入力受付処理部２２４は、掲示画像表示スケジュールの入力操作を受け付けると、次の処理を行う。即ち、第２入力受付処理部２２４は、ユーザが指定した電子掲示板４００の識別情報とユーザに選択された掲示画像とその掲示画像がその電子掲示板４００に表示されるべき時期を示す情報とを含むスケジュール更新指示をサーバ３００に送信する。
【０２６１】
以上、電子掲示板４００およびスマートフォン２００’の構成について説明した。
【０２６２】
次に、サーバ３００の構成について図２２および図２３を参照しながら説明する。
【０２６３】
図２２は、サーバ３００の構成を示すブロック図である。また、図２３は、スマートフォン２００’が表示する掲示板管理画面を例示した画面図である。
【０２６４】
（サーバ３００の構成）
図２２に示すように、サーバ３００は、通信モジュール部３１０、制御部３２０、及び、記録媒体３３０を備えている。
【０２６５】
通信モジュール部３１０は、ＩＰ通信に対応した通信モジュールである。
【０２６６】
制御部３２０はＣＰＵである。
【０２６７】
記録媒体３３０には、各大学の電子掲示板４００から取得された毎日の統計データが記録される。また、記録媒体３３０には、掲示板管理アプリケーションを起動したスマートフォン２００’から要求されるＵＩデータを生成するために制御部３２０によって参照すされる学園祭データが記録されている。
【０２６８】
更に、記録媒体３３０には、スマートフォン２００’からスケジュール更新指示を受信した時に制御部３２０によって更新される掲示画像データ配信スケジュール情報も記録されている。また、記録媒体３３０には、スケジュール更新指示に含まれている掲示画像も記録される。
【０２６９】
制御部３２０は、統計データ取得処理部３２１、ＵＩデータ配信処理部３２２、及び、掲示画像データ配信処理部３２３として機能する。
【０２７０】
統計データ取得処理部３２１は、電子掲示板４００がサーバ３００に向けて送信した統計データを取得し、取得した統計データを記録媒体３３０に記録する。
【０２７１】
ＵＩデータ配信処理部３２２は、スマートフォン２００’からの要求に基づいて、毎年開催される学園祭に関する情報を含んだＵＩ画面（図２３の（ａ）に例示される掲示板管理画面）を生成する。ＵＩデータ配信処理部３２２は、生成したＵＩ画面のデータ（ＵＩデータ）を、サーバ３００が保持している統計データおよび学園祭データとともにスマートフォン２００’に送信する。
【０２７２】
掲示画像データ配信処理部３２３は、掲示画像データ配信スケジュール情報に基づき、次の処理を行う。即ち、掲示画像データ配信処理部３２３は、ユーザに選択された掲示画像がユーザに指定された電子掲示板４００に表示されるべき時期になると、その掲示画像を記録媒体３３０から読み出し、その掲示画像をその電子掲示板４００に配信する。
【０２７３】
（スマートフォン２００’の動作の概略）
以下、本実施形態に係るスマートフォン２００’の動作の概略について引き続き図２３を参照しながら説明する。
【０２７４】
前述の説明から明らかなように、スマートフォン２００’は、掲示板管理アプリケーションの起動操作を受け付けると、図２３の（ａ）に例示される掲示板管理画面を表示する。
【０２７５】
図２３の（ａ）の掲示板管理画面を表示しているスマートフォン２００’は、「ログ表示切替え」ボタンに対するタッチ操作を受け付けると、例えば、図２３の（ａ）の掲示板管理画面を図２３の（ｂ）の掲示板管理画面に更新する。
【０２７６】
具体的には、スマートフォン２００’は、以下の各処理を行う。
【０２７７】
即ち、上記タッチ操作を受け付けた第１入力受付処理部２２２’は、各大学の各電子掲示板４００について、その大学の学園祭の前年の開催期間の各日にその電子掲示板４００が認識した閲覧者の数を示す統計データを記録媒体２３０から読み出す。
【０２７８】
また、第１入力受付処理部２２２’は、各大学について、その大学の学園祭の前年の開催期間を示すデータを記録媒体２３０から読み出す。
【０２７９】
第１入力受付処理部２２２’は、読み出した各データをＵＩ表示処理部２２３’に渡す。
【０２８０】
ＵＩ表示処理部２２３’は、各大学の各電子掲示板４００の掲示画像表示スケジュールを入力する入力欄に、対象の電子掲示板４００について第１入力受付処理部２２２’が読み出した統計データを表示する。
【０２８１】
具体的には、ＵＩ表示処理部２２３’は、前年の開催期間の初日に対象の電子掲示板４００が認識した閲覧者の数を示す統計データが上側に示され、前年の開催期間の２日目に対象の電子掲示板４００が認識した閲覧者の数を示す統計データが下側に示されるように、対象の入力欄に２つの統計データを表示する。
【０２８２】
また、ＵＩ表示処理部２２３’は、各大学の学園祭の開催日の表示欄に、対象の大学について第１入力受付処理部２２２’が読み出した「対象の大学の学園祭の前年の開催期間を示すデータ」を表示する。具体的には、ＵＩ表示処理部２２３’は、「対象の大学の学園祭の前年の開催期間を示すデータ」を「対象の大学の今年の開催予定期間を示すデータ」とは異なる表示態様で表示する。
【０２８３】
より具体的には、前年の開催期間の初日を示すデータが上側に示され、前年の開催期間の２日目を示すデータが下側に示されるように、対象の表示欄に２つのデータを表示する。
【０２８４】
その後、図２３の（ｂ）の掲示板管理画面を表示しているスマートフォン２００’は、「ログ表示切替え」ボタンに対するタッチ操作を受け付けると、例えば、図２３の（ｂ）の掲示板管理画面を図２３の（ｃ）の掲示板管理画面に更新する。
【０２８５】
具体的には、スマートフォン２００’は、以下の各処理を行う。
【０２８６】
まず、上記タッチ操作を受け付けた第１入力受付処理部２２２’は、各大学について、次の処理を行う。即ち、第１入力受付処理部２２２’は、対象の大学の学園祭の前年の開催期間の各日について、その日にその大学の各電子掲示板４００が認識した閲覧者の数の総和を求める。
【０２８７】
第１入力受付処理部２２２’は、各大学について、対象の大学の学園祭の前年の開催期間の各日について求めた総和のデータをＵＩ表示処理部２２３’に渡す。
【０２８８】
ＵＩ表示処理部２２３’は、各大学について、その大学の各電子掲示板４００の掲示画像表示スケジュールの入力欄（その大学に設置されている電子掲示板４００の数と同数の入力欄）がその大学の全電子掲示板４００に共通の掲示画像表示スケジュールの入力欄（ただ１つの入力欄）に変化するように、ＵＩ画面を更新する。
【０２８９】
更に、ＵＩ表示処理部２２３’は、各大学の入力欄について、その大学について求めた総和のデータをその入力欄に表示する。
【０２９０】
具体的には、ＵＩ表示処理部２２３’は、対象の大学の学園祭の前年の開催期間の初日について求めた総和のデータが上側に示され、対象の大学の学園祭の前年の開催期間の２日目について求めた総和のデータが下側に示されるように、対象の入力欄に２つのデータを表示する。
【０２９１】
以上、スマートフォン２００’の動作の概略について説明した。
【０２９２】
（実施形態４の付記事項）
図３からわかるように、ＵＩ表示処理部２２３’が表示するＵＩ画面（「ログ表示切替え」ボタンの右隣）には「左矢印」ボタンおよび「右矢印」ボタンが設けられている。
【０２９３】
ＵＩ表示処理部２２３’がある年度の学園祭の開催時期を対象とした統計データを含むＵＩ画面を表示している時に、第１入力受付処理部２２２’が「左矢印」ボタンに対するタッチ操作を受け付けると、ＵＩ表示処理部２２３’は、次の処理を行う。
【０２９４】
即ち、ＵＩ表示処理部２２３’は、該ある年度の学園祭の開催時期を対象とした統計データを含むＵＩ画面を、該ある年度の前年度の学園祭の開催時期を対象とした統計データを含むＵＩ画面に更新する。
【０２９５】
同様に、ＵＩ表示処理部２２３’がある年度（昨年よりも前の年度）の学園祭の開催時期を対象とした統計データを含むＵＩ画面を表示している時に、第１入力受付処理部２２２’が「右矢印」ボタンに対するタッチ操作を受け付けると、ＵＩ表示処理部２２３’は、次の処理を行う。
【０２９６】
即ち、ＵＩ表示処理部２２３’は、該ある年度の学園祭の開催時期を対象とした統計データを含むＵＩ画面を、該ある年度の次年度の学園祭の開催時期を対象とした統計データを含むＵＩ画面に更新する。
【０２９７】
（実施形態４の変形例）
本実施形態において、サーバ３００は必須ではない。即ち、本実施形態の変形例に係る電子掲示板システムは、スマートフォン２００’と各大学の各電子掲示板４００とから構成されていてもよい。
【０２９８】
本変形例では、スマートフォン２００’は、各大学の各電子掲示板４００から直接（即ち、サーバ３００を介さずに）統計データを取得してもよい。
【０２９９】
また、本変形例では、各電子掲示板４００は、掲示画像を受信する度に受信した掲示画像をすぐに表示するのではなく、自身が管理している掲示画像データ表示スケジュール情報が示すスケジュールに従って掲示画像を表示してもよい。
【０３００】
そして、本変形例では、スマートフォン２００’が、各電子掲示板４００に対し、掲示画像とその掲示画像が表示されるべき時期を示す情報とを含むスケジュール更新指示を直接送信してもよい。また、各電子掲示板４００は、受信したスケジュール更新指示に基づいて、自身が管理している掲示画像データ表示スケジュール情報を更新してもよい。
【０３０１】
なお、本変形例では、スマートフォン２００’の記録媒体２３０に、ＵＩデータ、学園祭データ、及び、スマートフォン２００’が電子掲示板４００から取得した統計データを記録し、電子掲示板４００の記録媒体４３０に、掲示画像データ表示スケジュール情報、及び、統計データ生成処理部４２３が生成した統計データを記録しておくことになる。
【０３０２】
＜実施形態５＞
以下、本発明の実施形態５に係るスマートフォンについて説明する。
【０３０３】
本実施形態に係るスマートフォンは、電子掲示板との組み合わせにより電子掲示板システムを構成する実施形態１〜３のようなスマートフォンではないが、以下の点でその特徴が実施形態１〜３のスマートフォンの特徴と共通している。
【０３０４】
即ち、本実施形態に係るスマートフォンは、スケジュールを入力するためのユーザインタフェース画面を表示する表示処理部と、上記ユーザインタフェース画面を通じて、上記スケジュールの入力を受け付ける入力受付処理部と、を備え、上記表示処理部が表示する上記ユーザインタフェース画面は、未来のある時期に対応する欄に該ある時期と相関がある過去の時期を対象とした統計データが示されているようなユーザインタフェース画面である。
【０３０５】
上記統計データは、過去のある日における、ある道路のある地点を通過する自動車の台数であってもよい。
【０３０６】
上記地点の近くのガソリンスタンドの店員が、そのようなスマートフォンを使用する場合、該過去のある日と相関がある未来のある日に対応する欄の統計データを参照してもよい。
【０３０７】
また、店員は、その欄の統計データが上記自動車の台数が多いことを示している場合には、集客効果を上げる何らかのイベントのスケジュールをその欄に入力してもよい。
【０３０８】
あるいは、上記統計データは、過去のある日における、商品の売上高であってもよい。
【０３０９】
上記商品を販売する店の店員が、そのようなスマートフォンを使用する場合、該過去のある日と相関がある未来のある日に対応する欄の統計データを参照してもよい。
【０３１０】
また、店員は、その欄の統計データがその商品の売上高が大きいことを示している場合には、その欄に対応する日にその商品の在庫を十分に確保できるように、その日の数日前に対応する欄に「その商品の発注予定時刻」を記入してもよい。
【０３１１】
あるいは、上記統計データは、過去の各日の各時間帯における、コールセンターのコール件数であってもよい。
【０３１２】
上記コールセンターの従業員が、そのようなスマートフォンを使用する場合、該過去のある時間帯と相関がある未来のある時間帯に対応する欄の統計データを参照してもよい。
【０３１３】
また、従業員は、その欄の統計データがコール件数が多いことを示している場合には、その欄に対応する時間帯に十分な人数のオペレータを確保できるように、その時間帯の少し前の時間帯に対応する欄に、オペレータの増員を手配すべき時刻を記入してもよい。
【０３１４】
＜実施形態６＞
実施形態１〜４のスマートフォン２００、２００’の制御ブロック（特に、第１入力受付処理部、ＵＩ表示処理部、第２入力受付処理部、及び、統計データ取得処理部）は、集積回路（ＩＣチップ）等に形成された論理回路（ハードウェア）によって実現してもよいし、ＣＰＵ（Central Processing Unit）を用いてソフトウェアによって実現してもよい。
【０３１５】
後者の場合、スマートフォンは、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）などを備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０３１６】
（その他の付記事項）
実施形態１のスマートフォン２００のユーザは、フリック操作、「左矢印」ボタン、及び／又は、「右矢印」ボタンにより、過去の任意の日、任意の週、及び、任意の月に関する統計データを表示させることができた。
【０３１７】
しかしながら、本発明は、そのような構成に限定されない。
【０３１８】
即ち、本発明の一実施形態に係るスマートフォンは、カレンダーの任意の頁に対してしおりを設定する機能を備えていてもよい。
【０３１９】
この場合、このスマートフォンは、そのユーザが、しおりが設定されている頁に対応する日（あるいは、週、月）に関する統計データを表示させることができるが、しおりが設定されていない頁に対応する日（あるいは、週、月）に関する統計データを表示させることができないように、実装されていてもよい。
【０３２０】
〔まとめ〕
本発明の態様１に係る情報機器（例えば、スマートフォン２００、２００’）は、スケジュールを入力するためのユーザインタフェース画面を表示する表示処理部（例えば、ＵＩ表示処理部２２３）と、上記ユーザインタフェース画面を通じて、上記スケジュールの入力を受け付ける入力受付処理部（例えば、第２入力受付処理部２２４）と、を備え、上記表示処理部が表示する上記ユーザインタフェース画面は、未来のある時期に対応する欄に該ある時期と相関がある過去の時期を対象とした統計データが示されているようなユーザインタフェース画面である。
【０３２１】
上記の構成によれば、上記情報機器のユーザは、適切なスケジューリングを行う上で有用なデータである過去の統計データを、スケジュールを入力するためのユーザインタフェース画面内において確認することができる。
【０３２２】
即ち、上記情報機器のユーザは、上記ユーザインタフェース画面とは異なる手段を用いて過去の統計データを確認する手間をかけることなく、適切なスケジューリングを行うことができる。
【０３２３】
従って、上記情報機器には、過去の統計データに基づくスケジューリングを効率良くユーザに行わせるのに適している、という利点があると言える。
【０３２４】
本発明の態様２に係る情報機器（例えば、スマートフォン２００）は、上記態様１において、上記ユーザインタフェース画面は、閲覧者を認識する機能を備えた電子掲示板（例えば、電子掲示板１００、４００）における広告表示のスケジュールを入力するためのユーザインタフェース画面であり、上記電子掲示板は、上記過去の時期を対象した統計データとして、上記過去の時期に認識した閲覧者に関する統計データを生成する電子掲示板であり、上記情報機器は、上記電子掲示板によって生成された統計データを上記情報機器の外部（例えば、電子掲示板１００、サーバ３００）から取得する取得処理部（例えば、統計データ取得処理部２２１）を更に備えていてもよい。
【０３２５】
上記の構成によれば、上記情報機器には、電子掲示板における広告表示の、過去の統計データに基づくスケジューリングを、効率良くユーザに行わせるのに適している、という更なる利点があると言える。
【０３２６】
本発明の態様３に係る情報機器は、上記態様１または２において、上記ユーザインタフェース画面は、各日について時間帯毎に上記欄が設けられた日めくりカレンダー型のユーザインタフェース画面であり、上記未来のある時期は未来のある日のある時間帯であり、上記表示処理部が表示する上記ユーザインタフェース画面は、上記ある時間帯に対応する欄に、過去の任意の日における上記ある時間帯と同じ時間帯を対象とした統計データ、上記未来のある日から丁度整数週前にあたる過去の日における、上記ある時間帯と同じ時間帯を対象とした統計データ、又は、上記未来のある日から丁度整数か月前にあたる過去の日における、上記ある時間帯と同じ時間帯を対象とした統計データが示されているようなユーザインタフェース画面であってもよい。
【０３２７】
上記の構成によれば、以下のいずれかの場合において、上記情報機器は、上記統計データを参照したユーザが未来のある日の時間帯Ｔにおけるスケジュールを適切に決定することを可能にする、という更なる効果を奏する。
・任意の日の時間帯Ｔを対象とした統計データが別の任意の日の時間帯Ｔを対象とした統計データと同じような値を示している場合
・上記ある日が該当する曜日の任意の日の時間帯Ｔを対象とした統計データが同じ曜日の別の任意の日の時間帯Ｔを対象とした統計データと同じような値を示している場合
・上記ある日から丁度整数か月前にあたる過去の任意の日の時間帯Ｔを対象とした統計データが、上記ある日から丁度整数か月前にあたる過去の別の日の時間帯Ｔを対象とした統計データと同じような値を示している場合
本発明の態様４に係る情報機器は、上記態様１または２において、上記ユーザインタフェース画面は、各週の各曜日について時間帯毎に上記欄が設けられた週めくりカレンダー型のユーザインタフェース画面であり、上記未来のある時期は未来のある週のある曜日の日のある時間帯であり、上記表示処理部が表示する上記ユーザインタフェース画面は、上記ある時間帯に対応する欄に、上記ある曜日の日から丁度整数週前にあたる過去の日における、上記ある時間帯と同じ時間帯を対象とした統計データ、又は、上記ある曜日の日から丁度整数か月前にあたる過去の日における、上記ある時間帯と同じ時間帯を対象とした統計データが示されているようなユーザインタフェース画面であってもよい。
【０３２８】
上記の構成によれば、以下のいずれかの場合において、上記情報機器は、上記統計データを参照したユーザが未来のある週のある曜日の日の時間帯Ｔにおけるスケジュールを適切に決定することを可能にする、という更なる効果を奏する。
・上記ある曜日と同じ曜日の任意の日の時間帯Ｔを対象とした統計データが、上記ある曜日と同じ曜日の別の任意の日の時間帯Ｔを対象とした統計データと同じような値を示している場合
・上記ある曜日の日から丁度整数か月前にあたる過去の任意の日の時間帯Ｔを対象とした統計データが、上記ある曜日の日から丁度整数か月前にあたる過去の別の日の時間帯Ｔを対象とした統計データと同じような値を示している場合
本発明の態様５に係る情報機器は、上記態様１または２において、上記ユーザインタフェース画面は、各月の各日について上記欄が設けられた月めくりカレンダー型のユーザインタフェース画面であり、上記未来のある時期は未来のある日であり、上記表示処理部が表示する上記ユーザインタフェース画面は、上記未来のある日に対応する欄に、上記未来のある日から丁度整数か月前にあたる過去の日を対象とした統計データが示されているようなユーザインタフェース画面であってもよい。
【０３２９】
上記の構成によれば、任意の月の第Ｄ日目を対象とした統計データが別の任意の月の第Ｄ日目を対象とした統計データと同じような値を示している場合において、上記情報機器は、上記統計データを参照したユーザが未来のある月の第Ｄ日目におけるスケジュールを適切に決定することを可能にする、という更なる効果を奏する。
【０３３０】
本発明の態様６に係る情報機器（例えば、スマートフォン２００’）は、上記態様１または２において、上記表示処理部が表示する上記ユーザインタフェース画面は、繰り返し開催されるイベント（例えば、毎年開催される学園祭）に関する情報を含んだユーザインタフェース画面であり、上記表示処理部が表示する上記ユーザインタフェース画面は、上記イベントが開催される予定である未来のある時期に対応する欄に、上記イベントの過去の開催時期（例えば、開催期間の初日および２日目の各々）を対象とした統計データが示されているようなユーザインタフェース画面であってもよい。
【０３３１】
上記の構成によれば、上記情報機器は、上記イベントが開催される時期のスケジュールをユーザが適切に決定することを可能にする、という更なる効果を奏する。
【０３３２】
本発明の態様７に係る情報機器は、上記態様１から６のいずれかの態様において、ユーザによる上記過去の時期を指定する操作を受け付ける操作受付部（例えば、第１入力受付処理部２２２）を更に備えていてもよい。
【０３３３】
上記の構成によれば、上記情報機器は、ユーザが自身の所望する時期を対象とした統計データを確認した上でスケジュールを決定することを可能にする、という更なる効果を奏する。
【０３３４】
本発明の態様８に係る情報機器は、上記態様１から７のいずれかの態様において、上記表示処理部が表示する上記ユーザインタフェース画面は、上記過去の時期をユーザに視認させるための情報を含んでいてもよい。
【０３３５】
上記の構成によれば、上記情報機器は、表示されている統計データがどの時期を対象とした統計データであるのかをユーザが確認することを可能にする、という更なる効果を奏する。
【０３３６】
本発明の態様９に係る電子掲示板システムは、上記態様２に係る情報機器と上記電子掲示板とを含んでいる電子掲示板システムである。
【０３３７】
上記の構成によれば、上記電子掲示板システムは、上記態様２に係る情報機器と同様の作用効果を奏する。
【０３３８】
本発明の態様１０に係る表示方法は、情報機器（例えば、スマートフォン２００、２００’）によるユーザインタフェース画面の表示方法において、スケジュールを入力するためのユーザインタフェース画面を表示する表示処理ステップと、上記ユーザインタフェース画面を通じて、上記スケジュールの入力を受け付ける入力受付処理ステップと、を含み、上記表示処理ステップにて表示する上記ユーザインタフェース画面は、未来のある時期に対応する欄に該ある時期と相関がある過去の時期を対象とした統計データが示されているようなユーザインタフェース画面である。
【０３３９】
上記の構成によれば、上記表示方法は、上記態様１に係る情報機器と同様の作用効果を奏する。
【０３４０】
なお、上記態様１に係る情報機器は、コンピュータによって実現してもよく、この場合には、コンピュータを上記情報機器が備える各部（上記表示処理部、及び、上記入力受付処理部）として動作させることにより当該各部をコンピュータにて実現させるプログラム（本発明の態様１１に係るプログラム）、およびそれを記録したコンピュータ読み取り可能な記録媒体（本発明の態様１２に係る記録媒体）も、本発明の範疇に入る。
【０３４１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０３４２】
本発明は、デジタルサイネージシステムの広告表示のスケジューリングに好適に利用することができる。
【符号の説明】
【０３４３】
２００                スマートフォン（情報機器）
２２０                  制御部
２２１                    統計データ取得処理部（取得処理部）
２２２                    第１入力受付処理部（操作受付部）
２２３                    ＵＩ表示処理部（表示処理部）
２２４                    第２入力受付処理部（入力受付処理部）
【図１】
2016170544.tif 000003
【図２】
2016170544.tif 000004
【図３】
2016170544.tif 000005
【図４】
2016170544.tif 000006
【図５】
2016170544.tif 000007
【図６】
2016170544.tif 000008
【図７】
2016170544.tif 000009
【図８】
2016170544.tif 000010
【図９】
2016170544.tif 000011
【図１０】
2016170544.tif 000012
【図１１】
2016170544.tif 000013
【図１２】
2016170544.tif 000014
【図１３】
2016170544.tif 000015
【図１４】
2016170544.tif 000016
【図１５】
2016170544.tif 000017
【図１６】
2016170544.tif 000018
【図１７】
2016170544.tif 000019
【図１８】
2016170544.tif 000020
【図１９】
2016170544.tif 000021
【図２０】
2016170544.tif 000022
【図２１】
2016170544.tif 000023
【図２２】
2016170544.tif 000024
【図２３】
2016170544.tif 000025